(57)【特許請求の範囲】
【請求項１】
内燃機関の駆動軸からのトルク伝達により回転駆動する従動軸の前記駆動軸に対する位相を調整することにより、前記従動軸と連動する弁の開閉タイミングを調整するバルブタイミング調整装置であって、
通電により回転トルクを発生するモータと、
前記モータに通電するモータ通電手段と、
前記モータが発生する回転トルクを前記従動軸に伝達するとともに、前記モータの回転数が変化することにより前記駆動軸に対する前記従動軸の位相を調整する位相調整手段と、
前記従動軸の回転角度を検出し、前記従動軸の回転角度に応じた信号を出力する従動軸角検出手段と、
前記駆動軸の回転角度を検出し、前記駆動軸の回転角度に応じた信号を出力する駆動軸角検出手段と、
前記従動軸の回転角度と前記従動軸の回転角度を変更するのに必要な従動軸トルクとの関係を示す第１マップが記憶された第１記憶手段と、
前記モータ通電手段に入力される通電デューティ比と前記モータが出力する回転トルクとの関係を示す第２マップが記憶された第２記憶手段と、
前記駆動軸角検出手段が検出する前記駆動軸の回転角度に基づいて前記駆動軸の回転速度が０であるか否かを判定する回転速度判定手段と、
前記従動軸角検出手段が検出する前記従動軸の回転角度及び前記第１マップに基づいて前記従動軸の回転角度を目標回転角度にするために必要な従動軸トルクを算出する従動軸トルク算出手段と、
前記駆動軸角検出手段が検出する前記駆動軸の回転角度及び前記従動軸角検出手段が検出する前記従動軸の回転角度に基づいて前記位相調整手段が前記駆動軸に対する前記従動軸の位相を目標位相に調整するために必要なフリクショントルクを算出するフリクショントルク算出手段と、
前記従動軸トルク算出手段によって算出される前記従動軸トルク及び前記フリクショントルク算出手段によって算出される前記フリクショントルクに基づいて前記弁の開閉タイミングを目標とする開閉タイミングにするために前記モータが出力するモータ出力トルクを算出する出力トルク算出手段と、
前記出力トルク算出手段によって算出される前記モータ出力トルク及び前記第２マップに基づいて前記モータ出力トルクを出力するために必要な通電デューティ比を算出し、前記通電デューティ比に応じた信号を前記モータ通電手段に出力するデューティ比算出手段と、
前記内燃機関の内部を潤滑する潤滑油の温度を検出し、前記潤滑油の温度に応じた信号を出力する油温検出手段と、
を備え、
前記モータ通電手段は、前記回転速度判定手段により前記駆動軸の回転速度が０であると判定される場合、前記デューティ比算出手段が算出する通電デューティ比の大きさに応じた電流を前記モータに通電し、
前記従動軸トルク算出手段は、前記油温検出手段が検出する前記潤滑油の温度に基づいて前記従動軸トルクを算出し、
前記フリクショントルク算出手段は、前記油温検出手段が検出する前記潤滑油の温度に基づいて前記フリクショントルクを算出することを特徴とするバルブタイミング調整装置。
【請求項２】
内燃機関の駆動軸からのトルク伝達により回転駆動する従動軸の前記駆動軸に対する位相を調整することにより、前記従動軸と連動する弁の開閉タイミングを調整するバルブタイミング調整装置であって、
通電により回転トルクを発生するモータと、
前記モータに通電するモータ通電手段と、
前記モータが発生する回転トルクを前記従動軸に伝達するとともに、前記モータの回転数が変化することにより前記駆動軸に対する前記従動軸の位相を調整する位相調整手段と、
前記従動軸の回転角度を検出し、前記従動軸の回転角度に応じた信号を出力する従動軸角検出手段と、
前記駆動軸の回転角度を検出し、前記駆動軸の回転角度に応じた信号を出力する駆動軸角検出手段と、
前記従動軸の回転角度と前記従動軸の回転角度を変更するのに必要な従動軸トルクとの関係を示す第１マップが記憶された第１記憶手段と、
前記モータ通電手段に入力される通電デューティ比と前記モータが出力する回転トルクとの関係を示す第２マップが記憶された第２記憶手段と、
前記駆動軸角検出手段が検出する前記駆動軸の回転角度に基づいて前記駆動軸の回転速度が０であるか否かを判定する回転速度判定手段と、
前記従動軸角検出手段が検出する前記従動軸の回転角度及び前記第１マップに基づいて前記従動軸の回転角度を目標回転角度にするために必要な従動軸トルクを算出する従動軸トルク算出手段と、
前記駆動軸角検出手段が検出する前記駆動軸の回転角度及び前記従動軸角検出手段が検出する前記従動軸の回転角度に基づいて前記位相調整手段が前記駆動軸に対する前記従動軸の位相を目標位相に調整するために必要なフリクショントルクを算出するフリクショントルク算出手段と、
前記従動軸トルク算出手段によって算出される前記従動軸トルク及び前記フリクショントルク算出手段によって算出される前記フリクショントルクに基づいて前記弁の開閉タイミングを目標とする開閉タイミングにするために前記モータが出力するモータ出力トルクを算出する出力トルク算出手段と、
前記出力トルク算出手段によって算出される前記モータ出力トルク及び前記第２マップに基づいて前記モータ出力トルクを出力するために必要な通電デューティ比を算出し、前記通電デューティ比に応じた信号を前記モータ通電手段に出力するデューティ比算出手段と、
前記内燃機関を冷却する冷却水の温度を検出し、前記冷却水の温度に応じた信号を出力する水温検出手段と、
を備え、
前記モータ通電手段は、前記回転速度判定手段により前記駆動軸の回転速度が０であると判定される場合、前記デューティ比算出手段が算出する通電デューティ比の大きさに応じた電流を前記モータに通電し、
前記従動軸トルク算出手段は、前記水温検出手段が検出する前記冷却水の温度に基づいて前記従動軸トルクを算出し、
前記フリクショントルク算出手段は、前記水温検出手段が検出する前記冷却水の温度に基づいて前記フリクショントルクを算出することを特徴とするバルブタイミング調整装置。
【請求項３】
前記駆動軸に対する前記従動軸の位相の調整が１回目であるか否かを判定する回数判定手段と、
前記従動軸角検出手段により検出される前記従動軸の回転角度に基づいて前記従動軸の回転速度を算出する回転速度算出手段と、
前記回転速度算出手段により算出される前記従動軸の回転速度に基づいて前記第２マップを補正する補正係数を算出する係数算出手段と、
前記係数算出手段により算出される前記補正係数に基づいて前記第２マップを補正する第２マップ補正手段と、
をさらに備えることを特徴とする請求項１または２に記載のバルブタイミング調整装置。
【請求項４】
前記回転速度算出手段は、前記回数判定手段により今回の前記駆動軸に対する前記従動軸の位相の調整が１回目であると判定される場合、最大通電デューティ比の大きさに応じた電流が前記モータに通電されたときの前記従動軸の回転速度を算出することを特徴とする請求項３に記載のバルブタイミング調整装置。
【請求項５】
前記回転速度算出手段は、前記回数判定手段により今回の前記駆動軸に対する前記従動軸の位相の調整が１回目であると判定される場合、前記第２マップの初期値に所定の割合を乗じて算出される通電デューティ比の大きさに応じた電流が前記モータに通電されたときの前記従動軸の回転速度を算出することを特徴とする請求項３に記載のバルブタイミング調整装置。
【請求項６】
前記デューティ比算出手段は、前記回数判定手段により今回の前記駆動軸に対する前記従動軸の位相の調整が１回目以外であると判定される場合、前記出力トルク算出手段によって算出される前記モータ出力トルク及び前記第２マップ補正手段によって補正された第２マップに基づいて前記モータ出力トルクを出力するために必要な通電デューティ比を算出することを特徴とする請求項４または５に記載のバルブタイミング調整装置。
【発明の詳細な説明】
【技術分野】
【０００１】
本発明は、バルブタイミング調整装置に関する。
【背景技術】
【０００２】
従来、モータの回転トルクを利用してエンジンのバルブタイミングを調整する電動式のバルブタイミング調整装置が知られている。電動式のバルブタイミング調整装置では、クランク軸のトルクが伝達される駆動側回転体とカム軸にトルクを伝達する従動側回転体とを遊星回転体によって連結している。バルブタイミング調整装置のモータが駆動側回転体に対する遊星回転体の回転速度を変更することにより、駆動側回転体に対する従動側回転体の位相が変更され、カム軸によって開閉駆動するバルブの開閉タイミングが変更される。特許文献１には、エンジン停止中に吸気バルブの開閉タイミングを変更するとき、モータの回転トルクが伝達されるカム軸の回転速度を目標の回転速度とするように通電デューティ比のフィードバックを行う電動式可変バルブタイミング調整装置が記載されている。
【先行技術文献】
【特許文献】
【０００３】
【特許文献１】特開２０１１−９４５８１号公報
【発明の概要】
【発明が解決しようとする課題】
【０００４】
しかしながら、特許文献１に記載の電動式可変バルブタイミング調整装置では、エンジン停止中に吸気バルブの開閉タイミングを変更するとき、モータには比較的大きな通電デューティ比に応じた電流が通電されるため、カム軸の回転動作や吸気バルブの開閉動作などにより大きな作動音が発生する。また、モータの消費電力が大きくなるため、モータからの発熱量も大きくなる。一方で通電デューティ比を小さくすると、カム軸が回転しないおそれがある。
【０００５】
本発明の目的は、エンジン停止中に少ない電流で吸気バルブの開閉タイミングを変更可能なバルブタイミング調整装置を提供することにある。
【課題を解決するための手段】
【０００６】
請求項１に記載の発明によると、バルブタイミング調整装置は、内燃機関の駆動軸に対する従動軸の位相を調整することにより、従動軸と連動する弁の開閉タイミングを調整する。従動軸にはモータが発生する回転トルクが位相調整手段により伝達される。このとき、モータ通電手段に入力される通電デューティ比に応じてモータの回転数が変化することにより駆動軸に対する従動軸の位相が調整される。バルブタイミング調整装置では、駆動軸の回転角度は駆動軸角検出手段により検出され、駆動軸角検出手段は従動軸の回転角度に応じた信号を出力する。また、従動軸の回転角度は従動軸角検出手段により検出され、従動軸角検出手段は駆動軸の回転角度に応じた信号を出力する。
【０００７】
請求項１に記載のバルブタイミング調整装置では、回転速度判定手段により駆動軸の回転速度が０であると判定される場合、従動軸トルク算出手段は、従動軸角検出手段が検出する従動軸の回転角度および第１マップに基づいて従動軸トルクを算出する。ここで、第１マップとは、第１記憶手段に記憶されており、従動軸の回転角度と従動軸の回転角度を変更するのに必要な従動軸トルクとの関係を示すマップである。また、フリクショントルク算出手段は、駆動軸角検出手段が検出する駆動軸の回転角度および従動軸角検出手段が検出する従動軸の回転角度に基づいて位相調整手段が駆動軸に対する従動軸の位相を目標位相に調整するために必要なフリクショントルクを算出する。出力トルク算出手段では、算出された従動軸トルクおよびフリクショントルクに基づいてモータが出力するモータ出力トルクを算出する。デューティ比算出手段では、算出されたモータ出力トルクおよび第２マップに基づいて、モータ出力トルクを出力するために必要な通電デューティ比を算出し、前記通電デューティ比に応じた信号をモータ通電手段に出力する。ここで、第２マップとは、第２記憶手段に記憶されており、モータ通電手段に入力される通電デューティ比とモータが出力する回転トルクとの関係を示すマップである。これにより、算出された通電デューティ比の大きさに応じた電流がモータに通電され、回転トルクが発生する。
【０００８】
請求項１に記載のバルブタイミング調整装置では、エンジン停止中の駆動軸の回転角度および従動軸の回転角度に基づいてモータ通電手段に入力する通電デューティ比を決定する。当該通電デューティ比は、従動軸の回転角度を目標の回転角度にするために必要な従動軸トルクおよび位相調整手段が駆動軸に対する従動軸の位相を目標位相に調整するために必要なフリクショントルクから算出されており、弁の開閉タイミングを目標とする開閉タイミングに変更するために最小の通電デューティ比となっている。これにより、バルブタイミング調整装置は、比較的少ない電流をモータに通電することにより弁の開閉タイミングを目標とする開閉タイミングに変更することができる。したがって、バルブタイミング調整装置は、弁の開閉タイミングをスムーズに変更することができ、弁の開閉タイミング変更時に発生する作動音を小さくすることができる。
【０００９】
また、モータ通電手段は、最小の通電デューティ比に応じた少ない電流をモータに通電する。これにより、エンジン停止中の弁の開閉タイミング変更に必要な電力を低減することができる。
【００１０】
また、モータには最小の通電デューティ比に応じた少ない電流しか流れないため、電流が流れるときに発生する発熱量を小さくすることができる。これにより、モータ等の破損を防止することができる。
【００１１】
請求項１に記載の発明によると、バルブタイミング調整装置は、内燃機関の内部を潤滑する潤滑油の温度を検出し、潤滑油の温度に応じた信号を出力する油温検出手段をさらに備える。このとき、従動軸トルク算出手段は、従動軸の回転角度および第１マップに加えて、油温検出手段が検出する潤滑油の温度にも基づいて従動軸トルクを算出する。また、フリクショントルク算出手段は、駆動軸の回転角度、従動軸の回転角度に加えて、油温検出手段が検出する潤滑油の温度にも基づいてフリクショントルクを算出する。
【００１２】
請求項２に記載の発明によると、バルブタイミング調整装置は、内燃機関を冷却する冷却水の温度を検出し、冷却水の温度に応じた信号を出力する水温検出手段を備える。このとき、従動軸トルク算出手段は、従動軸の回転角度および第１マップに加えて、水温検出手段が検出する冷却水の温度にも基づいて従動軸トルクを算出する。また、フリクショントルク算出手段は、駆動軸の回転角度、従動軸の回転角度に加えて、水温検出手段が検出する冷却水の温度にも基づいてフリクショントルクを算出する。
【００１３】
従動軸トルクおよびフリクショントルクは、内燃機関の温度状態によって変化する。そこで、通電デューティ比を算出するとき、内燃機関の温度状態を示す潤滑油の温度、冷却水の温度にも基づいて従動軸トルクおよびフリクショントルクを算出する。これにより、内燃機関の状態に合わせた最小の通電デューティ比を算出することができる。したがって、弁の開閉タイミング変更時に発生する作動音をさらに小さくことができる。
【００１４】
請求項３に記載の発明によると、バルブタイミング調整装置は、回数判定手段、回転速度算出手段、係数算出手段、および第２マップ補正手段をさらに備える。回数判定手段では、駆動軸に対する従動軸の位相の調整が１回目であるか否かを判定する。回転速度算出手段では、従動軸角検出手段により検出される従動軸の回転角度に基づいて従動軸の回転速度を算出する。係数算出手段では、回転速度算出手段により算出される従動軸の回転速度に基づいて第２マップを補正する補正係数を算出する。第２マップ補正手段では、係数算出手段により算出される補正係数に基づいて第２マップを補正する。
【００１５】
請求項４に記載の発明によると、回転速度算出手段は、回数判定手段により今回の駆動軸に対する従動軸の位相の調整が１回目であると判定される場合、最大通電デューティ比の大きさに応じた電流がモータに通電されたときの従動軸の回転速度を算出する。
【００１６】
請求項５に記載の発明によると、回転速度算出手段は、回数判定手段により今回の駆動軸に対する従動軸の位相の調整が１回目であると判定される場合、第２マップの初期値に所定の割合を乗じて算出される通電デューティ比の大きさに応じた電流がモータに通電されたときの従動軸の回転速度を算出する。
【００１７】
請求項４または５に記載のバルブタイミング調整装置では、１回目の駆動軸に対する従動軸の位相の調整において、すでに第２記憶手段に記憶されている第２マップを補正する補正係数を算出する。このとき、請求項４に記載のバルブタイミング調整装置では、確実に従動軸が回転するように１回目の通電デューティ比を最大に設定し、このときの従動軸の回転速度を算出する。また、請求項５に記載のバルブタイミング調整装置では、１回目の通電デューティ比を第２マップの初期値に所定の割合を乗じて算出される値に設定し、このときの従動軸の回転速度を算出する。第２マップ補正手段では、算出された補正係数に基づいて第２マップを補正する。これにより、個々のバルブタイミング調整装置のばらつきに起因する通電デューティ比とモータ出力トルクとの関係を補正することができる。
【００１８】
請求項６に記載の発明によると、デューティ比算出手段は、回数判定手段により今回の駆動軸に対する従動軸の位相の調整が１回目でないと判定される場合、出力トルク算出手段によって算出されるモータ出力トルクおよび第２マップ補正手段によって補正された第２マップに基づいてモータ出力トルクを出力するために必要な通電デューティ比を算出する。
【００１９】
２回目の駆動軸に対する従動軸の位相の調整では、１回目の位相の調整で補正した第２マップに基づいて通電デューティ比を算出する。モータには、当該通電デューティ比の大きさに応じた電流が通電され、回転トルクを発生する。これにより、個々のバルブタイミング調整装置のばらつきを考慮した弁の開閉タイミング変更処理を実施することができ、弁の開閉タイミング変更時に発生する作動音をさらに小さくすることができる。
【図面の簡単な説明】
【００２０】
【図１】本発明の第１実施形態によるバルブタイミング調整装置を用いたエンジンの概略構成図である。
【図２】本発明の第１実施形態によるバルブタイミング調整装置の断面図である。
【図３】本発明の第１実施形態によるバルブタイミング調整装置の概略構成図である。
【図４】本発明の第１実施形態によるバルブタイミング調整装置における吸気バルブの開閉タイミング変更処理のフローチャートである。
【図５】本発明の第１実施形態によるバルブタイミング調整装置における吸気側カム軸の回転角度とカムトルクとの関係を示す模式図である。
【図６】本発明の第２実施形態によるバルブタイミング調整装置における吸気バルブの開閉タイミング変更処理のフローチャートである。
【発明を実施するための形態】
【００２１】
以下、本発明の複数の実施形態を図面に基づいて説明する。
（第１実施形態）
本発明の第１実施形態によるバルブタイミング調整装置を図１から図５に示す。
バルブタイミング調整装置１は、「内燃機関」としてのエンジン６に設けられ、「駆動軸」としてのクランク軸８に対する「従動軸」としての吸気側カム軸２の位相（以下、「カム軸位相」という）を所定のカム軸位相に変更する。エンジン６では、カム軸位相の変更によって吸気側カム軸２が開閉駆動する吸気バルブ５５（図３参照）の開閉タイミングが変更される。
【００２２】
エンジン６は、クランク軸８からの動力がタイミングベルト９によりスプロケット２５、６５を介して吸気側カム軸２と排気側カム軸７とにそれぞれ伝達される。吸気側カム軸２の外周側には、吸気側カム軸２の回転に同期して吸気側カム軸２の回転角度（以下、「カム軸角度」という）に応じた信号を出力する「従動軸角検出手段」としてのカム角センサ７１が取り付けられている。一方、クランク軸８の外周側には、クランク軸８の回転に同期してクランク軸８の回転角度（以下、「クランク軸角度」という）に応じた信号を出力する「駆動軸角検出手段」としてのクランク角センサ７２が取り付けられている。カム角センサ７１が検出するカム軸角度、および、クランク角センサ７２が検出するクランク軸角度に応じた信号は、ＥＣＵ６０に入力される。
【００２３】
ＥＣＵ６０は、マイクロコンピュータを主体として構成され、内蔵されたＲＯＭ（記憶媒体）に記憶された各種のエンジン制御プログラムを実行することで、エンジン運転状態に応じて燃料噴射弁の燃料噴射量や点火プラグの点火時期を制御する。ＥＣＵ６０には、カム軸角度、クランク軸角度に加えて油温計６２により検出されるエンジン６の内部を潤滑する潤滑油の温度（以下、「油温」という）、水温計６１により検出されるエンジン６を冷却する冷却水の温度（以下、「水温」という）、および、モータ回転角センサ１５３により検出される変換部３のモータ軸１５の回転角度、のそれぞれに応じた信号が入力される。ＥＣＵ６０は、これら入力される信号に基づいて実際のカム軸位相を算出するとともに、エンジン運転条件に応じて目標とするカム軸位相を算出する。ＥＣＵ６０では、目標とするカム軸位相から通電デューティ比を算出し、算出された通電デューティ比に応じた信号がモータ駆動制御回路（以下、「ＥＤＵ」という）５に出力される。ＥＣＵ６０は、特許請求の範囲の「第１記憶手段」、「第２記憶手段」、「回転速度判定手段」、「従動軸トルク算出手段」、「フリクショントルク算出手段」、「出力トルク算出手段」、「デューティ比算出手段」に相当する。油温計６２は、特許請求の範囲の記載の「油温検出手段」に相当する。水温計６１は、特許請求の範囲の記載の「水温検出手段」に相当する。
【００２４】
ＥＤＵ５は、ＥＣＵ６０が出力する通電デューティ比の大きさに応じた電流をモータ１０に通電する。ＥＤＵ５では、目標とするモータ回転速度と実際のモータ回転速度との偏差を小さくするように通電デューティ比をフィードバック制御する。ＥＤＵ５は、特許請求の範囲に記載の「モータ通電手段」に相当する。
【００２５】
図２にバルブタイミング調整装置１の変換部３およびＥＤＵ５の断面図を示す。変換部３は、ＥＤＵ５が出力する電流によって回転トルクを発生するモータ１０、およびモータ１０が出力する回転トルクによってカム軸位相を調整する位相調整部１９から構成される。
【００２６】
モータ１０は、例えばブラシレスモータの電動モータであり、モータハウジング１１、ステータ１２、ロータ１３、モータ軸１５等を有する。
【００２７】
モータハウジング１１は、ケース１１１および蓋部材１１５を有し、内部にステータ１２およびロータ１３等を収容する。
【００２８】
ケース１１１は、略有底円筒状に形成され、底部に開口１１２が形成される。開口１１２には、モータ軸１５の一方の端部１５１側が挿通される。開口１１２とモータ軸１５との間には、オイルシール１１３が設けられる。また、ケース１１１には、モータ軸１５を回転可能に支持する軸受１１４が設けられる。
【００２９】
蓋部材１１５は、略円板状に形成され、ケース１１１の反位相調整部１９側を塞ぐように設けられる。蓋部材１１５には、モータ軸１５の他方の端部１５２側を回転可能に支持する軸受１１８が軸受１１４と同軸に設けられる。これにより、モータ軸１５は、軸受１１４、１１８によりモータハウジング１１に正逆回転可能に支持される。
【００３０】
ステータ１２には、軸方向外側にボビン１２１が設けられる。ボビン１２１には、コイル１２２が巻回される。コイル１２２に通電することにより、ステータ１２に回転磁界が生じる。ステータ１２の径方向内側には、モータ軸１５と一体となって回転するロータ１３が設けられる。ロータ１３の径方向外側には、Ｎ極とＳ極とが交互になるようにマグネット１３１が設けられている。これにより、ロータ１３は、ステータ１２のコイル１２２への通電により生じる回転磁界を受けて、モータ軸１５と一体となって回転する。
【００３１】
また、モータ１０にはモータ軸１５の回転角度を検出するモータ回転角センサ１５３のマグネット１５５が設けられている。モータ回転角センサ１５３は、蓋部材１１５の位相調整部１９側に設けられているホール素子１５４とマグネット１５５との相対位置に基づいてモータ軸１５の回転角度を検出する。
【００３２】
モータハウジング１１の蓋部材１１５の反位相調整部１９側には、ベース１６が設けられる。ベース１６は、回路カバー１１９側に開口する略有底円筒状に形成され、蓋部材１１５と回路カバー１１９とで形成される空間に収容される。ベース１６の内部には、基板に実装された各種電子部品等から構成され、モータ１０を駆動する電流値を制御するＥＤＵ５の回路部１７が収容される。ベース１６は、コネクタ１８と一体に形成される。コネクタ１８は、ＥＣＵ６０や図示しないバッテリ等との接続に用いられる。
【００３３】
位相調整部１９は、モータ１０の回転数の変化によってカム位相を調整するものであって、駆動側回転体２０、従動側回転体３０、偏芯シャフト４０、および遊星回転体５０等を備える。
【００３４】
駆動側回転体２０は略筒状に形成され、内部に従動側回転体３０、偏芯シャフト４０、および遊星回転体５０等を収容する。駆動側回転体２０は、カバー部材２１、歯車部材２３、およびスプロケット２５を有する。カバー部材２１、歯車部材２３、およびスプロケット２５は、ＥＤＵ５側からこの順で配置され、位置決めピン２７により同軸となるように位置決めされて、ボルト２８により固定される。
【００３５】
カバー部材２１には、開口２１１が形成され、この開口２１１にはケース１１１の一部とモータ軸１５の一方の端部１５１側が挿通される。また、カバー部材２１には、偏芯シャフト４０を相対回転可能に支持するベアリング４９が設けられる。
歯車部材２３の周壁部の径方向内側には、遊星回転体５０の駆動側外歯車部５２と噛み合う駆動側内歯車部２４が形成される。
スプロケット２５には、周壁部から径方向外側へ突出する歯２６を回転方向に複数有している。この歯２６とクランク軸８に形成されている複数の歯との間にタイミングベルト９が掛け渡される。これにより、クランク軸８の回転により出力されるトルクがタイミングベルト９を経由してスプロケット２５に入力されると、駆動側回転体２０は、クランク軸８と連動して回転する。
【００３６】
従動側回転体３０は、有底円筒状に形成され、駆動側回転体２０と同軸に配置される。また、従動側回転体３０は、ピン３１にて吸気側カム軸２との周方向における位置が決められ、センターボルト３２により吸気側カム軸２に固定される。これにより、従動側回転体３０は、吸気側カム軸２と一体となって回転する。また、従動側回転体３０は、駆動側回転体２０と相対回転可能に設けられている。
【００３７】
従動側回転体３０の周壁部の径方向内側には、従動側内歯車部３５が形成される。従動側内歯車部３５の内径は、駆動側内歯車部２４の内径よりも小さく設定される。従動側内歯車部３５は、軸方向において、駆動側内歯車部２４の反ＥＤＵ５側に設けられる。
【００３８】
偏芯シャフト４０は、ＥＤＵ５側に形成される入力部４１、および、反ＥＤＵ５側に形成される偏心部４７を有し、全体として筒状に形成される。偏芯シャフト４０は、モータジョイント４４およびジョイントピン４５によってモータ軸１５と連結される。入力部４１は、駆動側回転体２０および従動側回転体３０と同軸に配置される。また、入力部４１は、カバー部材２１に設けられるベアリング４９に回転可能に支持される。これにより、偏芯シャフト４０は、駆動側回転体２０に対して相対回転可能に設けられる。
【００３９】
偏心部４７は、入力部４１と偏心して形成される。したがって、偏心部４７は、駆動側回転体２０および従動側回転体３０とも偏心して形成されている。
【００４０】
偏芯シャフト４０の偏心部４７の径方向外側には、遊星回転体５０が配置される。偏心部４７と遊星回転体５０との間には、ベアリング５９が設けられる。これにより、遊星回転体５０は、駆動側回転体２０に対する偏芯シャフト４０の相対回転に応じて遊星運動可能に偏芯シャフト４０に支持される。ここでいう遊星運動とは、遊星回転体５０が偏心部４７の偏心中心線回りに自転しつつ、偏芯シャフト４０の回転方向に公転する運動を指す。
【００４１】
遊星回転体５０は、駆動側回転体２０側に形成される大径部５１および従動側回転体３０側に形成される小径部５３を有し、全体として筒状に形成される。大径部５１の径方向外側には駆動側外歯車部５２が形成され、小径部５３の径方向外側には従動側外歯車部５６が形成される。駆動側外歯車部５２は、駆動側内歯車部２４の内周側に配置されて駆動側内歯車部２４と噛み合う。従動側外歯車部５６は、従動側内歯車部３５の内周側に配置されて従動側内歯車部３５と噛み合う。
【００４２】
位相調整部１９では、上述した構成により駆動側回転体２０の回転トルクを従動側回転体３０に伝達するとともに、駆動側回転体２０の回転速度に対する遊星回転体５０の旋回速度を変化させることで、駆動側回転体２０に対する従動側回転体３０の回転角度を調整する。これにより、従動側回転体３０と一体となって回転する吸気側カム軸２のクランク軸８に対する位相、すなわちカム軸位相を調整し、吸気側カム軸２に開閉駆動される吸気バルブ５５の開閉タイミングを調整する。
【００４３】
次に、バルブタイミング調整装置１の変換部３における作動を図３に基づいて説明する。
【００４４】
位相調整部１９では、吸気側カム軸２をクランク軸８の回転速度の１／２の回転速度で駆動するように駆動側回転体２０、従動側回転体３０、および、遊星回転体５０が構成されている。クランク軸８の回転速度の１／２の回転速度に対してモータ１０の回転速度を調整することで、吸気バルブ５５の開閉タイミングを調整する。
【００４５】
吸気バルブ５５の開閉タイミングを現在のタイミングで維持するとき、モータ１０の回転速度を駆動側回転体２０の回転速度に一致させることにより、遊星回転体５０の旋回速度は駆動側回転体２０の回転速度と一致する。これにより、カム軸位相は一定となり、カム軸２の回転に連動する吸気バルブ５５の開閉タイミングは維持される。
【００４６】
吸気バルブ５５の開閉タイミングを一定のタイミングから変化させるとき、モータ１０の回転速度を駆動側回転体２０の回転速度に対して変化させることにより、遊星回転体５０の旋回速度は駆動側回転体２０の回転速度に対して変化する。これにより、カム軸位相が変化して吸気バルブ５５の開閉タイミングが変化する。
【００４７】
吸気バルブ５５の開閉タイミングを進角する場合、モータ１０の回転速度を駆動側回転体２０の回転速度より速くすることにより、遊星回転体５０の旋回速度を駆動側回転体２０の回転速度より速くする。これにより、駆動側回転体２０に対する従動側回転体３０の回転角度は進角する。したがって、吸気バルブ５５の開閉タイミングは進角する。
【００４８】
また、吸気バルブ５５の開閉タイミングを遅角する場合、モータ１０の回転速度を駆動側回転体２０の回転速度より遅くすることにより、遊星回転体５０の旋回速度を駆動側回転体２０の回転速度より遅くする。これにより、駆動側回転体２０に対する従動側回転体３０の回転位相を遅角する。したがって、吸気バルブ５５の開閉タイミングは遅角する。
【００４９】
（作用）
次に本発明の第１実施形態であるバルブタイミング調整装置１におけるエンジン停止後の吸気バルブ５５の開閉タイミング変更処理について図４に示すフローチャートに基づいて説明する。
【００５０】
最初のステップ（以下、「ステップ」を省略し、単に記号Ｓで示す）１０１において、エンジン６が停止しているか否かを判定する。第１実施形態のバルブタイミング調整装置１では、ＥＣＵ６０がクランク角センサ７２によって検出されるクランク軸角度から回転速度を算出する。このとき、クランク軸８の回転速度が０である場合、エンジン６は停止していると判定する。一方、クランク軸８の回転速度が０より大きい場合、エンジン６は稼働していると判定する。Ｓ１０１において、エンジン６が停止していると判定される場合、Ｓ１０２に移行する。エンジン６は稼働していると判定される場合、スタートに戻る。
【００５１】
次にＳ１０２において、ＥＣＵ６０にエンジン停止中作動開始の指令が入力される。Ｓ１０１において、エンジン６が停止していると判定された後、次回のエンジン６の始動時に最適な吸気バルブ５５の位相である目標位相に変更するための指令がＥＣＵ６０に入力される。例えば、Ｓ１０２における指令が入力された時点での吸気バルブ５５の位相が０°であって、次回のエンジン６の始動時に最適な吸気バルブ５５の位相が５０°である場合、吸気バルブ５５の位相を現在の位相０°から目標位相の５０°にするといった具合である。
【００５２】
次にＳ１０３において、エンジン停止時のクランク軸角度、カム軸角度、油温、および水温を検出する。バルブタイミング調整装置１では、クランク軸角度をクランク角センサ７２により検出する。カム軸角度をカム角センサ７１により検出する。エンジン６で使用されている潤滑油の温度は、油温計６２により検出される。エンジン６を冷却する冷却水の温度は、水温計６１により検出される。Ｓ１０３では、これら検出した数値に応じた信号がＥＣＵ６０に入力される。
【００５３】
次にＳ１０４において、検出されたカム軸角度、油温および水温に基づいて現在のカム軸角度から目標とするカム軸角度までカム軸を回転させるために必要なカムトルクを算出する。ＥＣＵ６０は、図５に示すような吸気バルブ５５の位相と一対一対応するカム軸角度とカムトルクとの関係を示す「第１マップ」としてのカムトルクマップを有している。図５の実線に示すように、カム軸角度によってカム軸を回転させるために必要なカムトルクが変化する。加えて、図５の破線で示すように、同じカム軸角度であってもエンジン６の油温および水温の高低によって、カム軸を回転させるために必要なカムトルクが変化する。具体的には、油温および水温が通常の状態のとき、カム軸角度を角度θに維持するにはトルクＴ１が必要であるが、油温または水温が通常の状態より低温である場合、カム軸角度を角度θに維持するにはトルクＴ１より大きいトルクＴ２が必要である。このように、油温および水温によってカム軸角度とカムトルクとの関係が変化することを考慮して、現在のカム軸角度から目標とするカム軸角度までカム軸を回転させるために必要なカムトルクを算出する。
【００５４】
次にＳ１０５において、クランク軸角度、カム軸角度、油温および水温に基づいて位相調整部１９でのフリクショントルクを算出する。位相調整部１９の駆動側回転体２０の回転力を従動側回転体３０に伝達するとき、駆動側回転体２０と遊星回転体５０との関係および遊星回転体５０と従動側回転体３０との関係からフリクショントルクが発生する。Ｓ１０５では、駆動側回転体２０の回転角度と従動側回転体３０の回転角度との関係から当該フリクショントルクを算出する。また、このとき、駆動側回転体２０の回転角度と従動側回転体３０の回転角度との関係が同じであっても、エンジン６の油温および水温の高低によってフリクショントルクの大きさが異なる。Ｓ１０５でのフリクショントルクの算出では、エンジン６の油温および水温を考慮したフリクショントルクを算出する。
【００５５】
次にＳ１０６において、算出されたカムトルクおよびフリクショントルクからモータ出力トルクを算出する。モータ出力トルクは、吸気バルブ５５の開閉タイミングを目標の開閉タイミングに変更するためにモータ１０が出力するトルクであって、Ｓ１０４で算出したカムトルクを位相調整部１９の減速比で割った値とＳ１０５で算出したフリクショントルクの値との合計がこれに当たる。なお、ここでいう位相調整部１９の減速比とは、駆動側回転体２０の駆動側内歯車部２４の歯数と遊星回転体５０の駆動側外歯車部５２の歯数とから算出される第１減速比に遊星回転体５０の従動側外歯車部５６の歯数と従動軸側回転体３０の従動側内歯車部３５の歯数とから算出される第２減速比を乗じた値となる。モータ出力トルクは、ＥＣＵ６０によって算出される。
【００５６】
次にＳ１０７において、算出されたモータ出力トルクからＥＤＵ５に入力される通電デューティ比を算出する。ＥＣＵ６０は、通電デューティ比とモータ１０が出力する回転トルクとの関係を示す「第２マップ」としての制御マップを有しており、当該制御マップを用いてＳ１０６で算出されたモータ出力トルクから吸気バルブ５５の開閉タイミングを目標とする開閉タイミングとするために通電デューティ比を算出する。算出された通電デューティ比をＥＤＵ５に出力する。
【００５７】
次にＳ１０８において、Ｓ１０９で算出された通電デューティ比に応じた電流をモータ１０に通電する。Ｓ１０９で算出された通電デューティ比が入力されたＥＤＵ５は、バルブタイミング調整装置１の外部からコネクタ１８を介して供給される電流を入力された通電デューティ比に応じた電流値に制御し、モータ１０に通電する。これにより、モータ１０が駆動し、カム軸位相が変更される。カム軸位相が変更することにより吸気バルブ５５の開閉タイミングが変更される。
【００５８】
次にＳ１０９において、変更されたカム軸位相が目標のカム軸位相であるか否かを判定する。カム軸位相は、吸気バルブ５５の開閉タイミングと一対一対応となっているため、吸気バルブ５５が目標とする開閉タイミングとなっているか否かをカム角センサ７１により検出されるカム軸角度とクランク角センサ７２によって検出されるクランク軸角度に基づいて判定する。このとき、カム軸位相が目標のカム軸位相である場合、Ｓ１１０に移行する。カム軸位相が目標のカム軸位相でない場合、Ｓ１０４に戻り、カム軸角度に基づいてカムトルクを算出する。
【００５９】
次にＳ１１０において、ＥＣＵ６０にエンジン停止中作動終了の指令が入力される。これにより、吸気側バルブ５５の開閉タイミング変更処理が終了する。
【００６０】
（効果）
（Ａ）第１実施形態のバルブタイミング調整装置１では、エンジン停止中のクランク軸角度およびカム軸角度から吸気側カム軸２が回転するために必要な最小限のトルクがモータ出力トルクとしてＥＣＵ６０によって算出される。ＥＤＵ５では、モータ出力トルクを発生することができる通電デューティ比に応じた電流をモータ１０に通電する。これにより、モータ１０は、吸気側バルブ５５の開閉タイミングをスムーズに変更することができるため、吸気側バルブ５５の開閉タイミング変更時に発生する作動音を小さくすることができる。
【００６１】
（Ｂ）従来、エンジン停止中にバルブの開閉タイミングを変更する際、カム軸を確実に回転することができるように比較的大きな通電デューティ比に応じた電流をモータに通電していた。しかしながら、第１実施形態のバルブタイミング装置１では、ＥＤＵ５は吸気側カム軸２が回転するために必要な最小限の電流しかモータ１０に通電しない。これにより、吸気側バルブ５５の開閉タイミングの変更に必要な電力を低減することができ、バルブタイミング調整装置１での消費電力を低減することができる。
【００６２】
（Ｃ）また、モータ１０に通電される電流が小さいため、モータ１０の発熱量が小さくなる。これにより、モータ１０や、モータ１０と隣り合うＥＤＵ５、位相調整部１９における熱による変形や破損を防止することができる。
【００６３】
（Ｄ）第１実施形態のバルブタイミング調整装置１では、カムトルクおよびフリクショントルクをエンジン６で使用する潤滑油の温度およびエンジン６を冷却する冷却水の温度に基づいて算出する。一般的に、エンジン停止から時間が経ってエンジンが冷えているとき、潤滑油の温度および冷却水の温度は低くなる。これにより、部品同士が摺動している部分では、潤滑油の粘度が上昇することによって摩擦が増加する。したがって、バルブタイミング調整装置１において吸気バルブ５５の開閉タイミングを変更するとき、変更に必要なトルクはいずれも大きくなる。そこで、第１実施形態のバルブタイミング調整装置１では、潤滑油の温度および冷却水の温度に応じてカム軸角度とカムトルクとの関係、および、フリクショントルクの大きさを変更する。これにより、エンジン６の温度状態に合わせた最小限のモータ出力トルクを算出することができる。これにより、さらに発生する作動音を小さくすることができる。
【００６４】
（第２実施形態）
次に、本発明の第２実施形態によるバルブタイミング調整装置１を図６に基づいて説明する。第２実施形態は、第１実施形態に対して、１回目のカム軸位相変更でのフローが異なる。なお、第１実施形態と実質的に同一の部位には同一の符号を付し、説明を省略する。
【００６５】
図６に第２実施形態のバルブタイミング調整装置１におけるエンジン停止後の吸気バルブ５５の開閉タイミング変更処理のフローチャートを示す。
【００６６】
第１実施形態のときと同様にＳ１０３において、エンジン停止時のクランク軸角度、カム軸角度、油温、および水温を検出したのち、Ｓ２０４において今回のカム軸位相の変更が１回目であるか否かを判定する。第２実施形態のＥＣＵ６０では、制御マップの更新履歴を記録する。そこで、制御マップの更新履歴から今回のカム軸位相の変更が１回目であるか否かを判定する。Ｓ２０４において、制御マップに更新履歴がない場合、今回のカム軸位相の変更が１回目であると判定してＳ２０５に移行する。制御マップに更新履歴がある場合、今回のカム軸角度の変更が１回目でないと判定してＳ１０４に移行する。ＥＣＵ６０は、特許請求の範囲に記載の「回数判定手段」、「回転速度算出手段」、「係数算出手段」、「第２マップ補正手段」に相当する。
【００６７】
次にＳ２０５において、ＥＤＵ５はモータ１０に通電する。このとき、ＥＣＵ６０は、吸気側カム軸２が必ず回転するように、例えば通電デューティ比１００％をＥＤＵ５に入力する。これにより、カム軸位相が変更され、吸気側バルブ５５の開閉タイミングも目標とする開閉タイミングに変更される。
【００６８】
次にＳ２０６において、カム軸位相を変更しているときの吸気側カム軸２の回転速度を算出する。Ｓ２０５におけるモータ１０への通電によって吸気側カム軸２は回転角度を変更する。このとき、ＥＣＵ６０は、カム角センサ７１により検出されるカム軸角度から吸気側カム軸２の回転速度を算出する。
【００６９】
次にＳ２０７において、算出された吸気側カム軸２の回転速度から「補正係数」としての制御定数を算出する。ＥＣＵ６０では、Ｓ２０６で算出された吸気側カム軸２の回転速度に基づいて、制御マップを補正する制御定数を算出する。
【００７０】
次にＳ２０８において、算出された制御定数を用いて制御マップを更新する。ＥＣＵ６０では、Ｓ２０７で算出された制御定数を用いて通電デューティ比とモータ１０が出力する回転トルクとの関係を示す制御マップを補正する。
【００７１】
次にＳ１１０において、ＥＣＵ６０にエンジン停止中作動終了の指令が入力される。これにより、１回目の吸気側バルブ５５の開閉タイミング変更処理が終了する。
【００７２】
また、Ｓ２０４において、今回のカム軸角度の変更が１回目でないと判定される場合、Ｓ１０４以降において、第１実施形態のバルブタイミング調整装置１におけるエンジン停止後の吸気バルブ５５の開閉タイミング変更処理（Ｓ１０４からＳ１０９まで）と同様の処理を行う。このとき、Ｓ１０７において、Ｓ１０６で算出されたモータ出力トルクから吸気バルブ５５の開閉タイミングを目標とする開閉タイミングとするために必要な通電デューティ比は、Ｓ２０８で補正された制御マップを用いて算出する。
【００７３】
第２実施形態のバルブタイミング調整装置１では、１回目のカム軸位相の変更において制御マップを補正する制御定数を算出する。これにより、バルブタイミング調整装置１を構成する部品のばらつきによって発生するモータ出力トルクと通電デューティ比との関係のばらつきを１回目のカム軸角度の変更において修正することができる。したがって、第２実施形態のバルブタイミング調整装置１は、第１実施形態の効果（Ａ）〜（Ｄ）を奏するだけでなく、バルブタイミング調整装置１の個体差を考慮した吸気バルブ５５の開閉タイミングの変更が可能となり、発生する作動音をさらに小さくすることができる。
【００７４】
（他の実施形態）
（ア）上述の実施形態では、エンジンが停止しているか否かを判定するとき、クランク角センサが検出するクランク軸の回転角度から算出されるクランク軸の回転速度から判定するとした。しかしながら、エンジンが停止しているか否かを判定する方法はこれに限定されない。エンジンを始動または停止するイグニッションスイッチのオンオフによって判定してもよい。
【００７５】
（イ）上述の実施形態では、クランク軸角度、カム軸角度を吸気バルブの開閉タイミング変更処理の段階でクランク角センサ、カム角センサによって検出するとした。しかしながら、クランク軸角度、カム軸角度を検出する段階はこれに限定されない。エンジン停止時のクランク軸角度、カム軸角度を記憶して、カムトルクおよびフリクショントルクの算出に用いてもよい。
【００７６】
（ウ）上述の実施形態では、カム軸の回転角度をカム角センサによって検出するとした。しかしながら、カム軸の回転角度を検出する手段はこれに限定されない。カム角センサに加えて、モータのシャフトの回転角を検出する回転角センサによって検出されてもよい。
【００７７】
（エ）上述の第１実施形態では、カム軸角度が目標のカム軸角度でないとき、カム軸角度からカムトルクを再度算出した。しかしながら、カム軸角度が目標のカム軸角度でないときの処理はこれに限定されない。すでに算出されたモータ出力トルクに１００％より大きい所定の割合、例えば１３０％を乗じた数値を算出して、この数値から算出される通電デューティ比に応じた電流をモータに再度通電してもよい。
【００７８】
（オ）上述の実施形態では、バルブタイミング調整装置は、吸気バルブに設けられた。しかしながら、バルブタイミング調整装置が設けられる位置はこれに限定されない。排気バルブに設けられてもよいし、吸気バルブおよび排気バルブの両方に設けられてもよい。
【００７９】
（カ）上述の第２実施形態では、１回目のカム軸角度の変更の際、モータに必ずカム軸が作動することができるデューティ比として１００％とした。しかしながら、１回目のカム軸角度の変更の際、モータに与えるデューティ比はこれに限定されない。吸気側カム軸が必ず回転するデューティ比であればよい。また、制御マップの初期値に１００％より大きい所定の割合、例えば１３０％を乗じたデューティ比を与えてもよい。
【００８０】
以上、本発明はこのような実施形態に限定されるものではなく、その要旨を逸脱しない範囲で種々の形態で実施可能である。
【符号の説明】
【００８１】
１          ・・・バルブタイミング調整装置、
２          ・・・吸気側カム軸（従動軸）、
５          ・・・ＥＤＵ（モータ通電手段）、
６          ・・・エンジン（内燃機関）、
８          ・・・クランク軸（駆動軸）、
１０        ・・・モータ、
１９        ・・・位相調整部（位相調整手段）、
５５        ・・・吸気バルブ（弁）
６０        ・・・ＥＣＵ（第１記憶手段、第２記憶手段、回転速度判定手段、従動軸トルク算出手段、フリクショントルク算出手段、出力トルク算出手段、デューティ比算出手段、回数判定手段、回転速度算出手段、係数算出手段、第２マップ補正手段）、
６１        ・・・水温計（水温検出手段）、
６２        ・・・油温計（油温検出手段）、
７１        ・・・カム角センサ（従動軸角検出手段）、
７２        ・・・クランク角センサ（駆動軸角検出手段）。
【図１】
0005645084.tif 000002
【図２】
0005645084.tif 000003
【図３】
0005645084.tif 000004
【図４】
0005645084.tif 000005
【図５】
0005645084.tif 000006
【図６】
0005645084.tif 000007